(57)【要約】      （修正有）【課題】調節温度が異なる複数の温度調節機構を備え、任意の温度に設定調節するための温度調節摘みの位置を動かさずに、複数の運転モードに切り替え可能な電気こたつを提供する。【解決手段】エコ運転モードで運転するように、モード切替兼運転スイッチを切り替えると、モード切替権運転スイッチ、バイメタルサーモスタット及び温度ヒューズを介してヒーターに電源が供給され、暖房空間内が暖められ、最高温度に設定された場合に、左のバイメタル７１の温度が８５℃となると、小径軸４０がバネ支え片７５に下方から当接した状態で、左のバイメタル７１Ａの左方が下がるように反って、板バネ片７６の付勢力に抗して第１切片５４の接点５３が接触していた第２切片５８の接点５７から離れる。このため、バイメタルサーモスタット１８Ｂが開成し、ヒーターは非通電となり、暖房空間内の加熱は停止する。【選択図】図４
2014163565.tif 000002
【特許請求の範囲】
【請求項１】
電気ヒーターにより暖房空間内を暖めて暖を採る電気こたつであって、加熱温度を調節設定するために使用者により操作される単一の温度調節摘みと、この温度調節摘みの操作により回転する第１回転軸と、この回転軸の回転を伝達する回転伝達機構と、この回転伝達機構により伝達されて回転する第２回転軸と、前記第１回転軸、前記第２回転軸に対応して動作温度が異なるバイメタルサーモスタットをそれぞれ備えて前記前記第１回転軸、前記第２回転軸により設定温度が異なるように調節する第１温度調節機構及び第２温度調節機構と、前記加熱温度の調節を前記第１温度調節機構又は前記第２温度調節機構のいずれにより行うかを切り替えるための切替え装置とを設けたことを特徴とする電気こたつ。
【請求項２】
電気ヒーターにより暖房空間内を暖めて暖を採る電気こたつであって、加熱温度を調節設定するために使用者により操作される単一の温度調節摘みと、この温度調節摘みの操作により回転する第１回転軸と、この回転軸の回転を伝達する回転伝達機構と、この回転伝達機構により伝達されて回転する第２回転軸と、前記第１回転軸及び第２回転軸に形成された各ネジ軸部が螺合するナット体と、前記第１回転軸、前記第２回転軸に対応して動作温度が異なるバイメタルサーモスタットをそれぞれ備えて前記前記第１回転軸、前記第２回転軸により設定温度が異なるように調節するもので前記ナット体に設けられた第１温度調節機構及び第２温度調節機構と、前記加熱温度の調節を前記第１温度調節機構又は前記第２温度調節機構のいずれにより行うかを切り替えるための切替え装置とを設けたことを特徴とする電気こたつ。
【請求項３】
電気ヒーターにより暖房空間内を暖めて暖を採る電気こたつであって、加熱温度を調節設定するために使用者により操作される単一の温度調節摘みと、この温度調節摘みの操作により回転するネジ軸部を有する回転軸と、前記ネジ軸部が螺合するネジ孔が形成されて前記回転軸の回転に伴いこの回転軸と共に移動するナット体に設けられた２本の調節ピンと、動作温度が異なるバイメタルサーモスタットをそれぞれ備えて前記各調節ピンにより設定温度が異なるように調節する第１温度調節機構及び第２温度調節機構と、前記加熱温度の調節を前記第１温度調節機構又は前記第２温度調節機構のいずれにより行うかを切り替えるための切替え装置とを設けたことを特徴とする電気こたつ。
【発明の詳細な説明】
【技術分野】
【０００１】
本発明は、電気ヒーターにより暖房空間内を暖めて暖を採る電気こたつに関する。
【背景技術】
【０００２】
従来、この種の電気こたつでは、特許文献１などに開示するように、制御は簡単なサーモスタットを使用する電気こたつにあっては、やぐら内の温度を調節する場合、使用者がサーモスタットの温度調節摘みを回すことにより、バイメタルへの押し付け荷重を可変して、接点の動作温度を可変にしているが、温度調節のために一旦温度調節摘みの設定位置を動かしてしまうと、元の快適な設定温度に戻すために微妙な調節が必要となる。
【０００３】
例えば、初めに温度調節して暖を採った後に、温度を下げても良いと考えて低く調節した場合に、その後元の快適な設定温度に戻すための調節がうまくいかないという問題が生じることがある。
【先行技術文献】
【特許文献】
【０００４】
【特許文献１】実開昭６０−１６７９６４公報
【発明の概要】
【発明が解決しようとする課題】
【０００５】
そこで本発明は、上記の点に鑑み、調節温度が異なる複数の温度調節機構を備えて、任意の温度に設定調節するための温度調節摘みの位置を動かさずに、複数の運転モードに切り替え可能とし、制御も簡単で元の快適な設定温度に戻すための微妙な調節が不要な電気こたつを提供することを目的とする。
【課題を解決するための手段】
【０００６】
このため第１の発明は、電気ヒーターにより暖房空間内を暖めて暖を採る電気こたつであって、加熱温度を調節設定するために使用者により操作される温度調節摘みと、この温度調節摘みの操作により回転する第１回転軸と、この回転軸の回転を伝達する回転伝達機構と、この回転伝達機構により伝達されて回転する第２回転軸と、前記第１回転軸、前記第２回転軸に対応して動作温度が異なるバイメタルサーモスタットをそれぞれ備えて前記前記第１回転軸、前記第２回転軸により設定温度が異なるように調節する第１温度調節機構及び第２温度調節機構と、前記加熱温度の調節を前記第１温度調節機構又は前記第２温度調節機構のいずれにより行うかを切り替えるための切替え装置とを設けたことを特徴とする。
【０００７】
第２の発明は、電気ヒーターにより暖房空間内を暖めて暖を採る電気こたつであって、加熱温度を調節設定するために使用者により操作される単一の温度調節摘みと、この温度調節摘みの操作により回転する第１回転軸と、この回転軸の回転を伝達する回転伝達機構と、この回転伝達機構により伝達されて回転する第２回転軸と、前記第１回転軸及び第２回転軸に形成された各ネジ軸部が螺合するナット体と、前記第１回転軸、前記第２回転軸に対応して動作温度が異なるバイメタルサーモスタットをそれぞれ備えて前記前記第１回転軸、前記第２回転軸により設定温度が異なるように調節するもので前記ナット体に設けられた第１温度調節機構及び第２温度調節機構と、前記加熱温度の調節を前記第１温度調節機構又は前記第２温度調節機構のいずれにより行うかを切り替えるための切替え装置とを設けたことを特徴とする。
【０００８】
第３の発明は、電気ヒーターにより暖房空間内を暖めて暖を採る電気こたつであって、加熱温度を調節設定するために使用者により操作される単一の温度調節摘みと、この温度調節摘みの操作により回転するネジ軸部を有する回転軸と、前記ネジ軸部が螺合するネジ孔が形成されて前記回転軸の回転に伴いこの回転軸と共に移動するナット体に設けられた２本の調節ピンと、動作温度が異なるバイメタルサーモスタットをそれぞれ備えて前記各調節ピンにより設定温度が異なるように調節する第１温度調節機構及び第２温度調節機構と、前記加熱温度の調節を前記第１温度調節機構又は前記第２温度調節機構のいずれにより行うかを切り替えるための切替え装置とを設けたことを特徴とする。
【発明の効果】
【０００９】
本発明によれば、調節温度が異なる複数の温度調節機構を備えて、任意の温度に設定調節するための温度調節摘みの位置を動かさずに、複数の運転モードに切り替え可能とすると共に元の温度設定の通常の運転モードに戻すこともできて、制御も簡単で元の快適な設定温度に戻すための微妙な調節が不要な電気こたつを提供することができる。
【図面の簡単な説明】
【００１０】
【図１】電気こたつの縦断面図である。
【図２】電気こたつを下方から見た平面図である。
【図３】電気こたつの電気回路図である。
【図４】回転伝達機構、第１及び第２温度調節機構を示す平面図である。
【図５】図４のＡ−Ａ断面図である。
【図６】図４のＢ−Ｂ断面図である。
【図７】最高温度に温度設定され、最高温度に到達する前の状態の第１温度調節機構を示す平面図である。
【図８】最低温度に温度設定され、最低温度に到達する前の状態の第１温度調節機構を示す平面図である。
【図９】最高温度に温度設定され、最高温度に到達した状態の第１温度調節機構を示す平面図である。
【図１０】最低温度に温度設定され、最低温度に到達した状態の第１温度調節機構を示す平面図である。
【図１１】最高温度に温度設定され、最高温度に到達する前の状態の第１温度調節機構の一部断面せる斜視図である。
【図１２】最高温度に温度設定され、最高温度に到達した状態の第１温度調節機構の一部断面せる斜視図である。
【図１３】回転伝達機構の第２の実施形態を示す平面図である。
【図１４】回転伝達機構の第３の実施形態を示す平面図である。
【発明を実施するための形態】
【００１１】
以下図１乃至図１２に基づき、本発明の実施の形態について説明する。先ず、図１において、１は畳の上に敷かれたこたつ用敷き布団４などの略中央に載置され暖を採る電気こたつで、矩形をなす本体型枠２内に設けた天板３の略中央下部に下方から吸込んだ空気を放射状に水平方向に送風する送風機及び電気ヒーター５等を備えている。この場合、前記送風機は必ずしも備えなくともよい。
【００１２】
本体型枠２をこの４隅に配した支持脚６により床面上に支持することで暖房空間Ｓを形成している。また、この本体型枠２の上部には支持脚６の外側を覆うこたつ布団７を介して卓板８を載置している。そして、電気こたつ１の暖房空間Ｓ内に足や身体を入れたときに前記電気ヒーター５に直接触れて火傷などが起こるのを防止する網目状の保護カバー９がヒーターユニット１０に設けられている。
【００１３】
１１は電源を前記電気ヒーター５を構成するヒーター５Ａ、５Ｂに供給する電源線で、一端を負荷としての前記電気ヒーター５及び前記送風機等を備えたヒーターユニット１０のプラグ受け２０と接続する負荷側プラグ１２に接続するとともに、その途中に切替え装置としてのモ−ド切替兼運転スイッチ１３を有するコントローラ１４を介して他端をＡＣ１００Ｖの商用電源の電源コンセント１５に接続するための電源プラグ１６に接続している。前記モ−ド切替兼運転スイッチ１３が使用者により操作され、切片がｂ接点に切り替わるとエコ運転モードとなり、ｃ接点に切り替わると通常運転モードとなり、ｂ接点とｃ接点との中間に位置するように切り替わると運転が停止状態となる。
【００１４】
前記ヒーターユニット１０内に、直列に接続される前記ヒーター５Ａ及び５Ｂと、このヒーター５Ｂに直列に接続される温度ヒューズ１７と、この温度ヒューズ１７にそれぞれ並列に接続されるバイメタルサーモスタット１８Ａ、１８Ｂなどが配設されている。前記バイメタルサーモスタット１８Ａ、１８Ｂはそれぞれ動作温度が異なるが、ともに暖房空間Ｓの温度を調節するものであり、前記温度ヒューズ１７は電気ヒーター５の異常加熱時に溶断して通電を遮断するものである。
【００１５】
２１は前記ヒーターユニット１０の側面１０Ａから外方へ突出して設けられる温度調節摘みで、前記暖房空間Ｓ内の温度（加熱温度）を調節設定するために、使用者により回転操作される。そして、この温度調節摘み２１に固定された第１回転軸２２は、大径軸２３と、ネジ軸である中径軸２４と、先細の調節ピンとしての小径軸２５とから構成され、前記大径軸２３の周囲には回転伝達機構を構成する第１歯車２６が固定されており、前記中径軸２４は前記ヒーターユニット１０内部に固定されたナット体２７の筒状部２８に形成されたネジ孔に螺合している。
【００１６】
前記第１歯車２６には、同じく前記回転伝達機構を構成する第２歯車３４が噛み合って前記ナット体２７に固定された支軸３５を支点としてその周りを回転可能であり、またこの第２歯車３４には同じく前記回転伝達機構を構成する第３歯車３６が噛み合っている。そして、前記第３歯車３６と共に回転する第２回転軸３７は、大径軸３８と、ネジ軸である中径軸３９と、先細の調節ピンとしての小径軸４０とから構成され、前記大径軸３８の周囲には回転伝達機構を構成する第３歯車３６が固定されており、前記中径軸３９は前記ナット体２７の筒状部４４に形成されたネジ孔に螺合している。
【００１７】
そして、前記ナット体２７には規制片３１が前方に向けて突出するように設けられ、前記中径軸２４に固定された規制板３２に形成された段差面３３に前記規制片３１が当接可能である。即ち、前記規制板３２は概ね平面視円形状を呈して、約１８０度の大径部と約１８０度の小径部とが２つの段差面３３で連結されており、前記暖房空間Ｓ内の温度を高めるように設定する場合には前記温度調節摘み２１を右に回転させると一方の段差面３３が前記規制片３１に下方から当接して最高温度に設定され、逆に前記暖房空間Ｓ内の温度を低めるように設定する場合には前記温度調節摘み２１を左に回転させると他方の段差面３３が前記規制片３１に上方から当接して最低温度に設定されることとなる。
【００１８】
そして、前記ナット体２７には規制片４１が前方に向けて突出するように設けられ、前記中径軸３９に固定された規制板４２に形成された段差面４３に前記規制片４１が当接可能である。そして、前記規制板４２は概ね平面視円形状を呈して、約１８０度の大径部と約１８０度の小径部とが段差面４３で連結されている。
【００１９】
次に、前記電気こたつ１の温度調節機構について詳述するが、初めに前記ナット体２７の前記筒状部２８、４４のネジ孔に前記第１回転軸２２、前記第２回転軸３７の前記中径軸２４、３９が螺合しており、前記温度調節摘み２１の回転操作に伴い、前記中径軸２４、３９が進退動して、前記第１回転軸２２、前記第２回転軸３７に対応して設けられる調節温度が異なる第１温度調節機構Ａ１、第２温度調節機構Ａ２により温度が調節されることとなる。
【００２０】
なお、前記第１温度調節機構Ａ１は後述する通常運転モードに関係し、前記第２温度調節機構Ａ２はエコ運転モードに関係する。
【００２１】
前記暖房空間Ｓ内の温度を高めるように設定する場合には前記温度調節摘み２１を右に回転させると、前記第１回転軸２２は右回転し、やがて前記規制板３２の一方の段差面３３が前記規制片３１に下方から当接して通常運転モードでの最高温度（例えば、後述する右のバイメタル７１の温度が１０５℃）に設定されると共に、また前記温度調節摘み２１の右回転に伴い前記第１歯車２６、前記第２歯車３４及び前記第３歯車３６を介して前記第２回転軸３７が右回転して前記規制板４２の一方の段差面４３が前記規制片４１に下方から当接してエコ運転モードでの最高温度（例えば、左のバイメタル７１の温度が８５℃）に設定される。
【００２２】
逆に、前記暖房空間Ｓ内の温度を低めるように設定する場合には前記温度調節摘み２１を左に回転させると、前記第１回転軸２２は左回転し、やがて前記規制板３２の他方の段差面３３が前記規制片３１に上方から当接して通常運転モードでの最低温度（例えば、右のバイメタル７１の温度が６５℃）に設定されると共に、また前記温度調節摘み２１の左回転に伴い前記第１歯車２６、前記第２歯車３４及び前記第３歯車３６を介して前記第２回転軸３７が左回転して前記規制板４２の他方の段差面４３が前記規制片４１に上方から当接してエコ運転モードでの最低温度（例えば、左のバイメタル７１の温度が４５℃）に設定される。
【００２３】
以上のように、前記温度調節摘み２１を回転させることにより、前記暖房空間Ｓ内の温度を通常運転モードにおける前記最高温度（前記１０５℃）から前記最低温度（前記６５℃）の範囲内、エコ運転モードにおける前記最高温度（前記８５℃）から前記最低温度（前記４５℃）の範囲内で同時に設定できることとなる。
【００２４】
なお、前記バイメタルサーモスタット１８Ａ、１８Ｂに対応する機械的構成である前記第１温度調節機構Ａ１、前記第２温度調節機構Ａ２は、同様な構造であり、右の前記第１温度調節機構Ａ１を中心に以下説明する。
【００２５】
５０は絶縁体の材料で作製され前記ナット体２７に一端部が固定される固定軸で、この固定軸５０の両端部の間には、以下の部品が配設される。即ち、前記固定軸５０、がその中間部に挿通する円板状の絶縁体である第１非導電体５１と、水平片と垂直片とから構成されて前記固定軸５０が前記水平片の中間部に挿通する導電性を有する材料で構成される第１端子板５２と、導電性及び弾性を有する材料で構成されて前記固定軸５０が一端部に挿通すると共に他端部には接点５３を備えて弾性を有する第１切片５４が固定された調節板５５と、前記固定軸５０がその中間部に挿通する円板状の絶縁体である第２非導電体５６と、前記固定軸５０がその中間部に挿通する接点５７を備えた導電性を有する材料で構成された第２切片５８と、前記固定軸５０がその中間部に挿通する円板状の導電体５９と、前記固定軸５０がその右端部に挿通すると共に、上下端が小径で中間位置に向けて徐々に大径であって下部が前記調節板５５及び前記第１切片５４に夫々開設された開口に挿通された絶縁棒７０の上部が左部に開設された開口に挿通されたバイメタル７１Ａと、前記固定軸５０がその中間部に挿通する円板状の絶縁体である第３非導電体７２と、前記バイメタル７１Ａに一端が固定されると共に他端に前記固定軸５０が挿通される導電性及び弾性を有する材料で構成された導電体であるバイメタル７１Ｂと、水平片と垂直片とから構成されて前記固定軸５０が前記水平片の中間部に挿通する導電性を有する材料で構成される第２端子板７４とが、前記固定軸５０の軸部より大径の両端部間に配設される。なお、前記バイメタル７１Ａと７１Ｂとで、バイメタル７１を構成する。
【００２６】
７５は平面視コ字形状の溝を形成して前記調節板５５の一部を上方へ切り起こしたバネ支え片で、前記第１切片５４を切り起こした板バネ片７６をその中間部が上方へ湾曲するようにした状態として、この板バネ片７６の開放側端部７７（支持側端部ではない。）を前記バネ支え片７５に開設された開口７８の開口端部に係止する。
【００２７】
また、前記温度調節摘み２１に固定される前記第１回転軸２２の前記小径軸２５及び前記第２回転軸３７の前記小径軸４０は、常時前記バネ支え片７５に下方から当接しており、前記板バネ片７６により前記第１切片５４の接点５３が前記第２切片５８の接点５７に接触するように付勢される。
【００２８】
次に、上述する構成による電気こたつ１において、温度設定の動作について説明する。先ず、図７に基づいて、前記暖房空間Ｓ内の温度を高めるように設定する場合について説明する。初めに、前記温度調節摘み２１を右に（時計方向に）回転させるが、この回転に伴い各歯車は連動して、回転伝達機構を構成する前記第１歯車２６が時計方向に回転し、前記第２歯車３４が反時計方向に、また前記第３歯車３６が時計方向に回転する。
【００２９】
この場合、通常運転モードの最高温度（前記バイメタルサーモスタット１８Ａの開成動作温度の１０５℃）で且つエコ運転モードの最高温度（前記バイメタルサーモスタット１８Ｂの開成動作温度の８５℃）に設定させる場合には、前記温度調節摘み２１を回し続けると、前記第１回転軸２２、第２回転軸３７は時計方向に回転して、前記ナット体２７は動かずに前記温度調節摘み２１や前記回転伝達機構が前方へ（図４、図７の紙面の下方へ）移動し、やがて前記規制板３２、４２の一方の段差面３３、４３が前記規制片３１、４１に下方から当接した場合には上記各最高温度に設定されることとなる。
【００３０】
次に、図８に基づいて、前記暖房空間Ｓ内の温度を低めるように設定する場合について説明する。初めに、前記温度調節摘み２１を左に（反時計方向に）回転させるが、この回転に伴い各歯車は連動して、回転伝達機構を構成する前記第１歯車２６が反時計方向に回転し、前記第２歯車３４が時計方向に、また前記第３歯車３６が反時計方向に回転する。
【００３１】
この場合、通常運転モードの最低温度（前記バイメタルサーモスタット１８Ａの閉成動作温度の６５℃）で且つエコ運転モードの最低温度（前記バイメタルサーモスタット１８Ｂの開放動作温度の４５℃）に設定させる場合には、前記温度調節摘み２１を回し続けると、前記第１回転軸２２、第２回転軸３７は反時計方向に回転して、前記ナット体２７は動かずに前記温度調節摘み２１や前記回転伝達機構が後方へ（図４、図８の紙面の上方へ）移動し、やがて前記規制板３２、４２の一方の段差面３３、４３が前記規制片３１、４１に上方から当接した場合には上記各最低温度に設定されることとなる。
【００３２】
次に、電気こたつ１の運転について説明すると、先ず商用電源の前記電源コンセント１５に前記電源プラグ１６を接続した状態にして、使用者が通常運転モードで運転するように、前記コントローラ１４の前記モード切替兼運転スイッチ１３をｃ接点に切り替えると、このモード切替権運転スイッチ１３、前記バイメタルサーモスタット１８Ａ及び前記温度ヒューズ１７を介して前記ヒーター５Ｂ、５Ａに電源が供給され、通電された前記ヒーター５Ａ、５Ｂにより暖房空間Ｓ内が暖められる。
【００３３】
そして、前記ヒーター５Ａ、５Ｂにより前記暖房空間Ｓ内が暖められると、最高温度に設定されていた場合に、右の前記バイメタル７１の温度が１０５℃となると、図９及び図１２に示すように、前記小径軸２５が前記バネ支え片７５に下方から当接した状態で、右の前記バイメタル７１の左方が下がるように反って、前記板バネ片７６の付勢力に抗して前記第１切片５４の接点５３が接触していた前記第２切片５８の接点５７から離れる。
【００３４】
このため、図３に示すようなバイメタルサーモスタット１８Ａが開成し、前記ヒーター５Ａ、５Ｂは非通電となり、前記暖房空間Ｓ内の加熱は停止することとなる。そして、加熱の停止により前記暖房空間Ｓ内が冷えてきて、右の前記バイメタル７１の温度が前記１０５℃より１３℃低い９２℃となると、図７及び図１１に示すように、このバイメタル７１のバイメタル７１Ａは水平状態に戻って、前記板バネ片７６の付勢力により前記第１切片５４の接点５３と前記第２切片５８の接点５７とが接触することとなる。
【００３５】
このため、前記バイメタルサーモスタット１８Ａは閉成し、前記ヒーター５Ａ、５Ｂは通電され、前記暖房空間Ｓ内は暖められることとなる。
【００３６】
次に、エコ運転モードで運転するように、使用者が前記コントローラ１４の前記モード切替兼運転スイッチ１３をｂ接点に切り替えると、このモード切替権運転スイッチ１３、前記バイメタルサーモスタット１８Ｂ及び前記温度ヒューズ１７を介して前記ヒーター５Ｂ、５Ａに電源が供給され、通電された前記ヒーター５Ａ、５Ｂにより暖房空間Ｓ内が暖められる。
【００３７】
そして、前記ヒーター５Ａ、５Ｂにより前記暖房空間Ｓ内が暖められると、前述したような最高温度に設定されていた場合に、左の前記バイメタル７１の温度が８５℃となると、前記小径軸４０が前記バネ支え片７５に下方から当接した状態で、左の前記バイメタル７１の前記バイメタル７１Ａの左方が下がるように反って、前記板バネ片７６の付勢力に抗して前記第１切片５４の接点５３が接触していた前記第２切片５８の接点５７から離れる。
【００３８】
このため、図３に示すようなバイメタルサーモスタット１８Ｂが開成し、前記ヒーター５Ａ、５Ｂは非通電となり、前記暖房空間Ｓ内の加熱は停止することとなる。そして、加熱の停止により前記暖房空間Ｓ内が冷えてきて、左の前記バイメタル７１の温度が前記８５℃より１３℃低い７２℃となると、このバイメタル７１の前記バイメタル７１Ａは水平状態に戻って、前記板バネ片７６の付勢力により前記第１切片５４の接点５３と前記第２切片５８の接点５７とが接触することとなる。
【００３９】
このため、前記バイメタルサーモスタット１８Ａは閉成し、前記ヒーター５Ａ、５Ｂは通電され、前記暖房空間Ｓ内は暖められることとなる。
【００４０】
ここで、前記暖房空間Ｓ内の温度を低めるように設定する場合については、前記温度調節摘み２１を左に（反時計方向に）回転させると、この回転に伴い各歯車は連動して、回転伝達機構を構成する前記第１歯車２６が反時計方向に回転し、前記第２歯車３４が時計方向に、また前記第３歯車３６が反時計方向に回転する。
【００４１】
従って、前記ナット体２７は前記ヒーターユニット１０内部に固定されているため、前記温度調節摘み２１の反時計方向への回転に伴い、前記中径軸２４、３９は前記ナット体２７の前記筒状部２８、４４に形成された前記ネジ孔に螺合しているので、前記温度調節摘み２１及び前記第１回転軸２２、第２回転軸３７は後方へ進行することとなる。
【００４２】
このため、図８に示すように、前記小径軸２５、４０が前記各バネ支え片７５を下方から押し上げた状態とする。従って、最高温度に設定された場合に比べて、前記バイメタル７１Ａのより僅かな下方への反りで、前記接点５３と前記接点５７とが接触状態から離れることとなる。
【００４３】
そして、例えば最低温度に設定された場合には、通常運転モードで運転している場合には、右の前記バイメタル７１の温度が６５℃となると、図１０に示すように、前記小径軸２５が前記バネ支え片７５に下方から当接した状態で、右の前記バイメタル７１Ａの左方が僅か下がるように反って、前記板バネ片７６の付勢力に抗して前記第１切片５４の接点５３が接触していた前記第２切片５８の接点５７から離れる。
【００４４】
このため、図３に示すようなバイメタルサーモスタット１８Ａが開成し、前記ヒーター５Ａ、５Ｂは非通電となり、前記暖房空間Ｓ内の加熱は停止することとなる。そして、加熱の停止により前記暖房空間Ｓ内が冷えてきて、右の前記バイメタル７１の温度が前記６５℃より１３℃低い５２℃となると、図８に示すように、前記バイメタル７１Ａは水平状態に戻って、前記板バネ片７６の付勢力により前記第１切片５４の接点５３と前記第２切片５８の接点５７とが接触することとなる。
【００４５】
このため、前記バイメタルサーモスタット１８Ａは閉成し、前記ヒーター５Ａ、５Ｂは通電され、前記暖房空間Ｓ内は暖められることとなる。
【００４６】
ここで、前述したような最低温度に設定された場合で、エコ運転モードで左の前記バイメタル７１の温度が４５℃となると、図１０に示すように、前記小径軸２５が前記バネ支え片７５に下方から当接した状態で、左の前記バイメタル７１の左方が僅か下がるように反って、前記板バネ片７６の付勢力に抗して前記第１切片５４の接点５３が接触していた前記第２切片５８の接点５７から離れる。
【００４７】
このため、図３に示すようなバイメタルサーモスタット１８Ａが開成し、前記ヒーター５Ａ、５Ｂは非通電となり、前記暖房空間Ｓ内の加熱は停止することとなる。そして、加熱の停止により前記暖房空間Ｓ内が冷えてきて、右の前記バイメタル７１の温度が前記４５℃より１３℃低い３２℃となると、図８に示すように、前記バイメタル７１Ａは水平状態に戻って、前記板バネ片７６の付勢力により前記第１切片５４の接点５３と前記第２切片５８の接点５７とが接触することとなる。
【００４８】
このため、前記バイメタルサーモスタット１８Ａは閉成し、前記ヒーター５Ａ、５Ｂは通電され、前記暖房空間Ｓ内は暖められることとなる。
【００４９】
次に、前記回転伝達機構を前述したように、前記第１歯車２６、前記第２歯車３４及び前記第３歯車３６で構成したが、この第１の実施形態に限らず、回転伝達機構の第２の実施形態を示す図１３に示すように、前記第１回転軸２２の前記大径軸２３と前記第２回転軸３７の前記大径軸３８との間に伝達ベルト８０を滑らないで確実に伝達できるように、張架して構成してもよい。
【００５０】
このように構成することにより、前記温度調節摘み２１を回転操作させると、前記第１回転軸２２が回転して、前記伝達ベルト８０を介して前記第２回転軸３７が回転することとなり、前述したように、第１温度調節機構Ａ１及び第２温度調節機構Ａ２により温度調節が可能となる。
【００５１】
次に、図１４に基づいて、前記回転伝達機構の第３の実施形態について説明する。この実施形態は、前記温度調節摘み２１ばかりか、この温度調節摘み２１により回動する回転軸８２も１本で足り、以下詳述する。ナット体８３には規制片８４が前方に向けて突出するように設けられ、前記回転軸８２の中径軸８６に固定された規制板８７に形成された段差面８８に前記規制片８４が当接可能である。即ち、前記規制板８７は概ね平面視円形状を呈して、約１８０度の大径部と約１８０度の小径部とが２つの前記段差面８８で連結されている。
【００５２】
ネジ軸である前記中径軸８６は前記ナット体８３に形成されたネジ孔に螺合しており、前記温度調節摘み２１を回動させると、この温度調節摘み２１が前後方向に移動することとなる。そして、調節板９０には前記回転軸８２の左側及び右側にガイドピン９１が前方へ突設し、前記ナット体８３に開設された各案内孔に前記各ガイドピン９１が遊びをもって挿通している。また、前記調節板９０には２本の調節ピン９３が後方へ突設し、前記第１温度調節機構Ａ１及び前記第２温度調節機構Ａ２が取り付けられた取付板９４に開設された各挿通孔に前記各調節ピン９３が遊びをもって挿通する。
【００５３】
なお、９２、９２は前記中径軸８６の後部に設けられた抜止部で、前記調節板９０を遊びをもって挿通した前記中径軸８６がこの調節板９０から抜けるのを防止する。即ち、前記中径軸８６に固定された一対の抜止部９２と９２との間に前記調節板９０が位置するようにして、且つ前記調節板９０に挿通した前記中径軸８６の回動が許されている。
【００５４】
なお、図１４に示す実施形態では、前記第１温度調節機構Ａ１及び前記第２温度調節機構Ａ２が取り付けられた前記取付板９４は、前記ヒーターユニット１０内部に固定され、結果として、前記第１温度調節機構Ａ１及び前記第２温度調節機構Ａ２は、前記ヒーターユニット１０内部に固定されることとなる。そして、前記取付板９４には前記ナット体８３が取り付けられている。
【００５５】
また、前記規制板８７は概ね平面視円形状を呈して、約１８０度の大径部と約１８０度の小径部とが２つの段差面８８で連結されており、前記暖房空間Ｓ内の温度を高めるように設定する場合には前記温度調節摘み２１を右に回転させると一方の段差面８８が前記規制片８８に下方から当接して最高温度に設定され、逆に前記暖房空間Ｓ内の温度を低めるように設定する場合には前記温度調節摘み２１を左に回転させると他方の段差面８８が前記規制片８８に上方から当接して最低温度に設定されることとなる。
【００５６】
即ち、前記温度調節摘み２１を回転させると、前記回転軸８２の前記中径軸８６も回転し、前記ナット体８３に開設された各案内孔に前記各ガイドピン９１が案内されると共に前記取付板９４に開設された各挿通孔に前記各調節ピン９３が案内されながら、前記温度調節摘み２１、前記回転軸８２と共にこの回転軸８２の回転に連動して前記調節板９０が前後移動することとなり、結果として前記各調節ピン９３が前後移動することになる。
【００５７】
このため、前記温度調節摘み２１を回転させることにより、前記第１温度調節機構Ａ１及び前記第２温度調節機構Ａ２を調節して、前述したように、前記暖房空間Ｓ内の温度を通常運転モードにおける前記最高温度（前記１０５℃）から前記最低温度（前記６５℃）の範囲内、エコ運転モードにおける前記最高温度（前記８５℃）から前記最低温度（前記４５℃）の範囲内で設定できることとなる。
【００５８】
なお、上述した図４、図１３に示す実施形態において、前記ナット体２７を前記ヒーターユニット１０内部に固定し、前記温度調節摘み２１の回転操作により、前記第１回転軸２２、第２回転軸３７が回転し、これらの前記第１回転軸２２、第２回転軸３７及び前記温度調節摘み２１及び前記回転伝達機構を不動の第１、第２温度調節機構Ａ１、Ａ２に対して前方又は後方へ移動させるようにしたが、これに対して、前記温度調節摘み２１及び前記回転伝達機構を移動させずに、前記ナット体２７及び第１、第２温度調節機構Ａ１、Ａ２を前方又は後方へ移動させるようにしてもよい。
【００５９】
また、図１４に示す実施形態において、前記取付板９４及び前記第１、第２温度調節機構Ａ１、Ａ２を前記ヒーターユニット１０内部に固定し、前記温度調節摘み２１の回転操作により、前記回転軸８２が回転し、前記温度調節摘み２１、前記回転軸８２及び前記調節板９０を連動させて前記取付板９４、前記第１、第２温度調節機構Ａ１、Ａ２、前記ナット体８３に対して前方又は後方へ移動させるようにしたが、これに対して、前記取付板９４、前記第１、第２温度調節機構Ａ１、Ａ２及び前記ナット体８３を前記温度調節摘み２１、前記回転軸８２及び前記調節板９０に対して前方又は後方へ移動させるようにしてもよい。
【００６０】
この場合、前記第１、第２温度調節機構Ａ１、Ａ２を前後方向に移動できないようにした場合には、前記第１端子板５２及び第２端子板７４に配線が安定した状態で接続でき、またその配線が外れにくくなることとなる。
【００６１】
以上のように、前記第１回転軸２２が回転すると、回転伝達機構により前記第２回転軸３７も回転するようにして、前記通常運転モード又はエコ運転モードで運転できるようにしたり、又は前記回転軸８２が回転すると伝達機構により前記通常運転モード又はエコ運転モードで運転できるようにしたりしたが、これらに限らず、回転軸を３本以上及び温度調節機構を３つ以上設けることにより、他の伝達機構により、この２つの運転モードに限らず、３つ以上の運転モードで運転できるようにしてもよい。
【００６２】
以上のように、本発明は前記温度調節摘み２１によって、一旦温度設定すると、この設定後はこの設定通りの温度で運転する通常運転モードで運転するか、この通常運転モードよりも低い温度で運転するエコ運転モードで運転するかを切替スイッチの切替え操作をするだけであって、制御も簡単で元の快適な設定温度に戻すための微妙な調節が不要で且つ快適な電気こたつを提供することができる。
【００６３】
以上本発明の実施形態について説明したが、上述の説明に基づいて当業者にとって種々の代替例、修正又は変形が可能であり、本発明はその趣旨を逸脱しない範囲で前述の代替例、修正又は変形を包含するものである。
【符号の説明】
【００６４】
１                      電気こたつ
５                      電気ヒーター
５Ａ、５Ｂ              ヒーター
１０                    ヒーターユニット
１８Ａ、１８Ｂ          バイメタルサーモスタット
２１                    温度調節摘み
２２                    第１回転軸
２７                    ナット体
３７                    第２回転軸
７１                    バイメタル
８０                    伝達ベルト
８２                    回転軸
８３                    ナット体
９０                    調節板
９３                    調節ピン
Ａ１                    第１温度調節機構
Ａ２                    第２温度調節機構
【図１】
2014163565.tif 000003
【図２】
2014163565.tif 000004
【図３】
2014163565.tif 000005
【図４】
2014163565.tif 000006
【図５】
2014163565.tif 000007
【図６】
2014163565.tif 000008
【図７】
2014163565.tif 000009
【図８】
2014163565.tif 000010
【図９】
2014163565.tif 000011
【図１０】
2014163565.tif 000012
【図１１】
2014163565.tif 000013
【図１２】
2014163565.tif 000014
【図１３】
2014163565.tif 000015
【図１４】
2014163565.tif 000016